(57)【要約】【課題】ＰＢＸモードにおいてダイヤル付加番号の判定を待つことなく、入力された通信先の電話番号の１桁目から直ちにダイヤルトーン送出ができるようにする。【解決手段】公衆電話回線に接続される一般回線モードと構内交換機（ＰＢＸ）に接続されるＰＢＸモードとを有する通信端末装置において、通信端末装置は、通信先の番号を入力するための操作・表示部２６と、入力された番号の各数字に対応するダイヤルトーン送出を制御するダイヤル送出制御部２４１を有する制御部２４と、一般回線モードとＰＢＸモードを選択的に設定するメモリ領域を有するメモリ２７とを備え、前記メモリにＰＢＸモードが設定されている場合、ダイヤル送出制御部２４１は、入力された番号の１桁目から直ちにダイヤルトーンを送出する。【選択図】図２
2007288597.tif 000002
【特許請求の範囲】
【請求項１】
公衆電話回線に接続される一般回線モードと構内交換機（ＰＢＸ）に接続されるＰＢＸモードとを有する通信端末装置において、
前記通信端末装置は、通信先の番号を入力するための操作・表示部と、入力された番号の各数字に対応するダイヤルトーン送出を制御するダイヤル送出制御部を有する制御部と、前記一般回線モードとＰＢＸモードを選択的に設定するメモリ領域を有するメモリとを備え、前記メモリにＰＢＸモードが設定されている場合、前記ダイヤル送出制御部は、入力された番号の１桁目から直ちにダイヤルトーンを送出するように制御することを特徴とする通信端末装置。
【請求項２】
前記通信端末装置は更に、ダイヤル付加番号判別手段を備え、前記メモリに一般回線モードが設定されている場合、前記ダイヤル付加番号判別手段は前記入力された番号に基づいてダイヤル付加番号を判別することを特徴とする請求項１に記載の通信端末装置。
【請求項３】
前記通信端末装置は、前記メモリに一般回線モードが設定されている場合、前記ダイヤル付加番号判別手段は前記入力された番号に基づいてダイヤル付加番号を判別し、携帯電話宛の通信を判別すると、前記ダイヤル送出制御部は、入力された番号の１桁目からダイヤルトーンを送出するように制御することを特徴とする請求項２に記載の通信端末装置。
【発明の詳細な説明】
【技術分野】
【０００１】
本発明は、付加番号ダイヤル機能を備えた電話機およびファクシミリ装置などの通信端末装置に関するものであり、特に、公衆電話回線に接続される一般回線モードと構内交換機（ＰＢＸ）に接続されるＰＢＸモードとを有する通信端末装置において、前記一般回線モードとＰＢＸモードを選択的に設定可能とし、一般回線モードにおいては付加番号ダイヤルによるサービス対応とし、ＰＢＸモードにおいては付加番号ダイヤルによるサービス非対応にした通信端末装置に関するものである。
【背景技術】
【０００２】
家庭や事業所において使用される電話機やファクシミリ装置などの通信端末装置は、一般的には公衆電話回線に接続されて使用される場合と、事業所内の構内電話回線網に接続された構内交換機（ＰＢＸ）に収容されて使用される場合がある。このため、これらの通信端末装置は、公衆電話回線に接続される一般回線モードと構内交換機（ＰＢＸ）に接続されるＰＢＸモードとを有しており、使用される接続形態によって何れかのモードに設定される。
【０００３】
ところで、近年では通信事業者によるダイヤル付加番号サービスによって種々のサービスが提供されている。例えば、ナンバーディスプレイサービスと称されるサービスでは、電話番号の前に特定のダイヤル付加番号「１８４」を付加して発信すると、同サービスに加入している相手方の電話機の表示部に発信側の電話番号を非表示（番号非通知）とすることができる。一方、番号通知をするダイヤル付加番号を付加すると相手方の電話機の表示部に発信側の電話番号が表示される。これにより着信側は相手方の発信番号の通知、非通知を判断して迷惑電話には対応しないなどの対応が取れるようになる。
【０００４】
また、発信時にダイヤル付加番号として特定の通信事業者コードを付加することにより所望の網（電話回線網）を介して通信し、安価な通話料金が適用される通信経路を選択することのできるサービスも提供されている。例えば、下記の特許文献１（特開平９−８９５８号公報）には、このようなサービスを利用して、各網の使用量を一定にするようにした網選択装置の発明が開示されている。
【０００５】
この特許文献１に開示された網選択装置は、構内交換機内に設けられるものであり、公衆回線網の各市外局番毎に第１種電気通信事業者回線網を指定する番号列を付加した変換ダイヤル列を記憶したダイヤル変換テーブルＴＢ１〜ＴＢｎを各第１種電気通信事業者回線網毎に複数蓄積したメモリと、一定期間毎（日毎）に上記メモリ内に記憶されたダイヤル変換テーブルに基づいて複数の第１種電気通信事業者回線網から任意の回線網を順次切替選択し公衆回線網の各市外局番を対応する変換ダイヤル列に変換して公衆回線網に出力する制御手段とから構成されたものである。
【特許文献１】特開平９−８９５８号公報（図１、図２）
【発明の開示】
【発明が解決しようとする課題】
【０００６】
一般的な電話機やファクシミリ装置などの通信端末装置においては、一般回線モードとＰＢＸモードのいずれであっても前述のようなダイヤル付加番号サービスに対応可能としている。通常、電話機やファクシミリ装置などの通信端末装置から通話や通信する際には通信先の電話番号やファクシミリ番号を入力すると、１桁ずつダイヤルトーンが電話交換局の交換機や構内交換機に送られる。
【０００７】
交換機は電話機から順次送られるダイヤルトーンを解析して接続すべき相手方の機器の属する交換局や交換機を決定し、接続する。例えば、市外局番を指定する桁数分のダイヤルトーンを受信した時点で、市外交換局を決定することができ、同様に市内局番を示す桁数分のダイヤルトーンを受信することによって市内交換局を決定することができる。また、同様に携帯電話宛の通話等の場合は、携帯電話通信に割り当てられている電話番号の先頭桁数のダイヤルトーンを検出して移動体通信網に接続する。
【０００８】
ところで、通信端末装置がダイヤル付加番号サービスに対応可能に設定されている場合、先頭のダイヤル付加番号の判別が終了するまではダイヤルトーン送出待ち状態にされ、ダイヤル付加番号の判別が完了した後に、通信先の電話番号の先頭桁から順にダイヤルトーン信号を送信することになる。一方、ダイヤル付加番号サービスに非対応の設定がされている場合には、入力された電話番号の１桁目から直ちにダイヤルトーン送出をすることができる。携帯電話への通話の場合も同様になる。
【０００９】
このため、ダイヤル付加番号サービスへの対応が設定されていると、ＰＢＸモードの場合、内線番号の先頭に携帯電話に割り当てられた番号「０９」やナンバーディスプレイサービスの番号「１８」などが含まれる場合には、ダイヤル付加番号に相当する桁数が全て入力され、その判別が完了するまでダイヤルトーン送出待ち状態になり、遅延が生ずるという問題点があった。
【００１０】
本願の発明者は上記の問題点を解消すべく種々検討を重ねた結果、公衆電話回線に接続される一般回線モードと構内交換機（ＰＢＸ）に接続されるＰＢＸモードとを有する通信端末装置において、前記一般回線モードとＰＢＸモードを選択的に設定可能とし、一般回線モードにおいては付加番号ダイヤルによるサービス対応とし、ＰＢＸモードにおいては付加番号ダイヤルによるサービス非対応にすれは、上記の問題点を解消し得ることに想到して本発明を完成するに至ったものである。
【００１１】
すなわち、本発明は上記の問題点を解消することを課題とし、ＰＢＸモードにおいてダイヤル付加番号の判定を待つことなく、入力された通信先の電話番号の１桁目から直ちにダイヤルトーン送出ができる電話機やファクシミリ装置などの通信端末装置を提供することを目的とする。
【課題を解決するための手段】
【００１２】
前記課題を解決するために、本願の請求項１にかかる発明は、
公衆電話回線に接続される一般回線モードと構内交換機（ＰＢＸ）に接続されるＰＢＸモードとを有する通信端末装置において、
前記通信端末装置は、通信先の番号を入力するための操作・表示部と、入力された番号の各数字に対応するダイヤルトーン送出を制御するダイヤル送出制御部を有する制御部と、前記一般回線モードとＰＢＸモードを選択的に設定するメモリ領域を有するメモリとを備え、前記メモリにＰＢＸモードが設定されている場合、前記ダイヤル送出制御部は、入力された番号の１桁目から直ちにダイヤルトーンを送出するように制御することを特徴とする。
【００１３】
また、本願の請求項２にかかる発明は、請求項１にかかる通信端末装置において、
前記通信端末装置は更に、ダイヤル付加番号判別手段を備え、前記メモリに一般回線モードが設定されている場合、前記ダイヤル付加番号判別手段は前記入力された番号に基づいてダイヤル付加番号を判別することを特徴とする。
【００１４】
また、本願の請求項３にかかる発明は請求項２にかかる通信端末装置において、
前記通信端末装置は、前記メモリに一般回線モードが設定されている場合、前記ダイヤル付加番号判別手段は前記入力された番号に基づいてダイヤル付加番号を判別し、携帯電話宛の通信を判別すると、前記ダイヤル送出制御部は、入力された番号の１桁目からダイヤルトーンを送出するように制御することを特徴とする。
【発明の効果】
【００１５】
請求項１にかかる発明においては、通信端末装置は、通信先の番号を入力するための操作・表示部と、入力された番号の各数字に対応するダイヤルトーン送出を制御するダイヤル送出制御部を有する制御部と、前記一般回線モードとＰＢＸモードを選択的に設定するメモリ領域を有するメモリとを備え、前記メモリにＰＢＸモードが設定されている場合、前記ダイヤル送出制御部は、入力された番号の１桁目から直ちにダイヤルトーンを送出するように制御する。
【００１６】
このような構成によれば、通信端末装置がＰＢＸモードである場合には、ダイヤル付加番号サービス非対応となり、通信先の電話番号が入力されると、その１桁目からか直ちにダイヤルトーンが送出され、ダイヤル付加番号サービスの判定の間待ち状態になることがないから、ダイヤル送出が遅延しないようにすることができるようになる。
【００１７】
また、請求項２にかかる発明においては、請求項１にかかる通信端末装置において、通信端末装置は更に、ダイヤル付加番号判別手段を備え、前記メモリに一般回線モードが設定されている場合、前記ダイヤル付加番号判別手段は前記入力された番号に基づいてダイヤル付加番号を判別する。このような構成によれば、通信端末装置が一般回線モードである場合には、ダイヤル付加番号サービス対応とすることができるようになる。
【００１８】
また、請求項３にかかる発明においては、請求項１にかかる通信端末装置において、前記メモリに一般回線モードが設定されている場合、前記ダイヤル付加番号判別手段は前記入力された番号に基づいてダイヤル付加番号を判別し、携帯電話宛の通信を判別すると、前記ダイヤル送出制御部は、入力された番号の１桁目からダイヤルトーンを送出する。このような構成によれば、通信端末装置が一般回線モードである場合には、ダイヤル付加番号サービス対応とすることができるようになり、入力された電話番号が携帯電話宛の番号である場合、それが判別された時点でダイヤルトーン送出ができるようになる。
【発明を実施するための最良の形態】
【００１９】
以下、本発明の具体例を実施例及び図面を用いて詳細に説明する。但し、以下に示す実施例は、本発明の技術思想を具体化するための通信端末装置を例示するものであって、本発明をこの通信端末装置に特定することを意図するものではなく、特許請求の範囲に含まれるその他の実施形態の通信端末装置にも等しく適用し得るものである。
【００２０】
図１は、本発明の実施例にかかる通信端末装置の外観を示す外観図である。通信端末装置は、電話機あるいはコードレス電話機やファクシミリ装置のような通信端末装置であるが、以下の説明においては、コードレス電話機を通信端末装置として本発明を詳細に説明する。通信端末装置であるコードレス電話装置１０は親機２０と子機３０とが無線で接続された構成となっており、子機３０から親機２０を介して通話の受信、発信が行えるようになっている。
【００２１】
親機２０は、図２のブロック図に示すように、電話回線制御部２１、音声信号処理部２２、無線部２３、制御部２４、マイク・スピーカ部２５、操作・表示部２６、メモリ２７、アンテナ２８を備えて構成されている。制御部２４はマイクロプロセッサからなる制御回路であり、図示していないＲＯＭ、ＲＡＭを備えている。ＲＯＭには各部動作を制御するプログラムを記憶している。例えば、制御部２４がダイヤルトーンを送出するためのプログラム、および、ダイヤル付加番号の種別を判定するプログラムが書き込まれている。従って、制御部２４にはダイヤル送出制御部２４１、ダイヤル付加番号判定部２４２の機能が含まれて構成されたものになっている。ＲＡＭには制御部２４の動作に必要な情報を記憶する。
【００２２】
ダイヤル付加番号サービスが設定されている場合、発信先の電話番号が入力された際に、入力された電話番号の先頭に、親機２０に設定したダイヤル付加番号サービスの種別に応じた所定桁数のコード（番号）が付加される。ダイヤル付加番号判定部２４２は入力された電話番号に付加される付加番号を判定して当該付加番号に相当する所定の処理を行う。
【００２３】
電話回線制御部２１は公衆回線Ｎからの着信、公衆回線Ｎへの発信を制御するものであり、着信検出、ダイヤルトーン検出などを行う。音声信号処理部２２は受話音声信号を処理してマイク・スピーカ部２５を介して出力し、あるいは、マイク・スピーカ部２５を介して入力された送話音声を処理して音声信号に変換して送出する。無線部２３はアンテナ２８を介して図示されていない子機との間で発信信号、着信信号、送話音声信号、受信音声信号を通信する。
【００２４】
操作・表示部２６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示してコードレス電話装置１０の種々の機能設定をしたり、通信キャリアが提供する種々のサービス機能のオン・オフの設定をしたりすることができる。メモリ２７には、親機２０を一般回線モードで使用するか、または、ＰＢＸモードで使用するかを設定するメモリ領域であるダイヤル出力モードの設定領域が設けられている。
【００２５】
親機２０をＰＢＸに接続して使用する場合、操作・表示部２６を用いてダイヤル出力モードをＰＢＸモード２７２に設定する。親機２０を公衆回線網に接続して使用する場合は一般回線モード２７１に設定する。設定内容はメモリ２７のダイヤル出力モードの記憶領域に記憶される。また、メモリ２７には、親機２０に設定されたダイヤル付加番号サービスの種別が記憶される。
【００２６】
親機２０において、ダイヤル送出モードがＰＢＸモード２７２に設定されている場合、ダイヤル付加番号判定部２４２は動作せず、ダイヤル送出制御部２４１は、操作・表示部２５から入力された発信先電話番号の１桁目から直ちにダイヤルトーン送出を開始する。一方、親機２０において、ダイヤル送出モードが一般回線モード２７１に設定されている場合、ダイヤル付加番号判定部２４２が動作し、操作・表示部２５から入力された発信先電話番号の所定の桁数が入力され付加番号サービスの種別を判別する。
【００２７】
その判別が完了した後、ダイヤル送出制御部２４１は、入力された電話番号を先頭桁から順次ダイヤルトーン送出する。例えば、入力された電話番号か携帯電話に対する番号である場合は、ダイヤル付加番号の判定が完了すると、ダイヤル送出制御部２４１は電話番号を先頭桁から順次ダイヤルトーン送出する。
【００２８】
以上、説明したように、一般回線モードが設定してある場合、親機２０にダイヤル付加番号サービスが設定してある場合、親機２０はその設定によるダイヤル付加番号サービスに対応するものとなり、ＰＢＸモードが設定されている場合には、親機２０にダイヤル付加番号サービスが設定されているか否かによらず、ダイヤル付加番号サービス非対応になる。
【００２９】
子機３０は、図３のブロック図に示されるように、音声信号処理部３２、無線部３３、制御部３４、マイク・スピーカ部３５、操作・表示部３６、メモリ３７、アンテナ３８を備えて構成されている。制御部３４はマイクロプロセッサからなる制御回路であり、図示していないＲＯＭ、ＲＡＭを備えている。ＲＯＭには各部の動作を制御するプログラムを記憶しており、制御部３４が親機２０と通信するためのプログラムなども書き込まれている。ＲＡＭには制御部３４の動作に必要な情報を記憶する。
【００３０】
音声信号処理部３２は受話音声信号を処理してマイク・スピーカ部３５を介して出力し、あるいは、マイク・スピーカ部３５を介して入力された送話音声を処理して音声信号に変換して送出する。無線部３３はアンテナ３８を介して親機２０との間で発信信号、送話音声信号、受信音声信号を通信する。
【００３１】
操作・表示部３６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示して子機３０の種々の機能設定をすることができる。
【００３２】
図４は、以上説明した親機２０のダイヤルトーン送出の動作手順を示す概略フローチャートである。ステップＳ１１の処理において、発信先の電話番号の入力が開始されると、ステップＳ１２の処理において、親機２０のダイヤル出力モードが判別される。メモリ２７に記憶されたダイヤル出力モードがＰＢＸモード２７２である場合、ステップＳ１３の処理に進み、ダイヤル送出制御部２４１が動作して、入力された電話番号の１桁目から直ちにダイヤルトーンの送出が行われる。
【００３３】
ステップＳ１２の判別処理において、ダイヤル出力モードが一般回線モードである場合、ステップＳ１４の処理においてダイヤル付加番号判定部２４２は、入力された電話番号の所定桁数の数字を識別して携帯電話の番号であるかを判定する。携帯電話の番号であれば、ステップＳ１５の処理に進み、ダイヤル送出制御部２４１が動作して、入力された電話番号の１桁目から順次ダイヤルトーンの送出が行われる。
【００３４】
ステップＳ１４の判定処理において、入力された電話番号から携帯電話の電話番号が検出されない場合、ダイヤル付加番号判定部２４２はダイヤル付加番号を判定し、判定処理が終了するとステップＳ１７の処理においてダイヤル送出制御部２４１はダイヤルトーン送出を行う。ダイヤル付加番号が付加されている場合、親機２０に設定されたサービスに対応する処理を行ってダイヤルトーン送出を行うことは勿論である。
【図面の簡単な説明】
【００３５】
【図１】本発明にかかる通信端末装置であるコードレス電話装置の外観を示す図である。
【図２】本発明の実施例にかかる親機の構成を示すブロック図である。
【図３】図１における子機の構成を示すブロック図である。
【図４】図１の親機におけるダイヤルトーン送出の動作手順を示す概略フローチャートである。
【符号の説明】
【００３６】
２０・・・・親機
２１・・・・電話回線制御部
２２・・・・音声信号処理部
２３・・・・無線部
２４・・・・制御部
２４１・・・ダイヤル送出制御部
２４２・・・ダイヤル付加番号判定部
２５・・・・マイク・スピーカ部
２６・・・・操作・表示部
２７・・・・メモリ
２７１・・・一般回線モード
２７２・・・ＰＢＸモード
２８・・・・アンテナ
３０・・・・子機
【図１】
2007288597.tif 000003
【図２】
2007288597.tif 000004
【図３】
2007288597.tif 000005
【図４】
2007288597.tif 000006